(57)【要約】 【課題】  リードフレームを上下に挟み込むための金型を不要にすることができ、また、例えそれら上下の金型を使用したとしても、それら金型の耐久性を向上させることができ、迅速かつ容易に製造することができる物理量センサの製造方法を提供すること。【解決手段】  ステージ部２と、リード５を有するフレーム部１１と、該フレーム部１１と前記ステージ部２とを連結する連結部１２と、を備えるリードフレーム１０を形成する形成加工工程と、前記ステージ部２に前記物理量センサチップ３を接着する接着工程と、前記物理量センサチップ３を前記リード５に接続する接続工程と、前記リードフレーム１０を基台１７に設置する設置工程と、前記ステージ部２または前記ステージ部２の近傍を吸引手段２３によって吸引し、軸線Ｌを中心として前記ステージ部２を回転させて、前記ステージ部２を前記フレーム部１１に対して傾斜させる傾斜工程とを備えることを特徴とする。【選択図】    図６
2006267062.tif 000002
【特許請求の範囲】
【請求項１】
物理量センサチップが設置されるステージ部と、該ステージ部の近傍に配された複数のリードを有するフレーム部と、該フレーム部と前記ステージ部の一端とを連結する連結部と、を備えるリードフレームを形成する形成加工工程と、
この形成加工工程により形成された前記リードフレームの前記ステージ部に、前記物理量センサチップを接着する接着工程と、
この接着工程により接着された前記物理量センサチップを前記リードに電気的に接続する接続工程と、
この接続工程によって前記物理量センサチップと前記リードとが接続された状態の前記リードフレームを、平坦面を有する基台に設置する設置工程と、
この設置工程により前記平坦面上に設置された前記リードフレームの前記ステージ部または前記ステージ部の近傍を、前記基台に設けられた吸引手段により吸引し、この吸引によって前記連結部を含む軸線を中心として前記連結部を屈曲させながら前記ステージ部を回転させて、前記ステージ部を前記フレーム部に対して傾斜させる傾斜工程とを備えることを特徴とする物理量センサの製造方法。
【請求項２】
前記形成加工工程により、前記リードフレームが金属製薄板に複数形成され、
前記設置工程により、前記平坦面に対して垂直に延びるクランプによって前記リードフレームの形成された金属製薄板の全周が固定され、
前記傾斜工程の後に、前記クランプと前記平坦面とによって区画されたモールド領域に樹脂を射出して前記複数のリードフレームをモールドするモールド工程と、
このモールド工程により成型された樹脂モールド部および前記フレーム部をダイシングするダイシング工程とを備えることを特徴とする請求項１に記載の物理量センサの製造方法。
【請求項３】
前記形成加工工程により、前記ステージ部に、該ステージ部の下面側に向けて突出する突出部が形成され、
前記傾斜工程により、前記ステージ部の近傍に配された前記フレーム部の下面を前記吸引手段によって吸引することによって、該平坦面により前記突出部が押圧されて、該ステージ部の他端が持ち上げられるようにしたことを特徴とする請求項１または請求項２に記載の物理量センサの製造方法。
【請求項４】
前記形成加工工程により、前記ステージ部が、前記フレーム部に対して上方にオフセットされ、
前記傾斜工程により、前記ステージ部の他端の下面を前記吸引手段によって吸引して、前記ステージ部の他端が引き下げられるようにしたことを特徴とする請求項１または請求項２に記載の物理量センサの製造方法。
【請求項５】
前記形成加工工程により、前記ステージ部の一端に、該ステージ部の上面側に向けて斜めに延びる傾斜部が形成され、
前記傾斜工程により、前記傾斜部の下面を前記吸引手段によって吸引して、前記傾斜部が引き下げられることによって、前記ステージ部の他端が持ち上げられるようにしたことを特徴とする請求項１または請求項２に記載の物理量センサの製造方法。
【発明の詳細な説明】
【技術分野】
【０００１】
本発明は、磁気や重力等の物理量の方位や向きを測定する物理量センサの製造方法に関するものである。
【背景技術】
【０００２】
近年、携帯電話等の携帯端末装置には、ユーザの位置情報を表示させるＧＰＳ（Global Positioning System）機能を持つものが登場している。このＧＰＳ機能に加え、地磁気を正確に検出する機能や加速度を検出する機能を持たせることで、ユーザが携帯する携帯端末装置の三次元空間内の方位や向き或いは移動方向の検知を行うことができる。
上述した機能を携帯端末装置に持たせるためには、磁気センサ、加速度センサ等の物理量センサを携帯端末装置に内蔵させることが必要となる。また、このような物理量センサにより三次元空間での方位や加速度を検知可能とするためには、物理量センサチップの設置面を傾斜させることが必要となる。
【０００３】
ここで、上述した物理量センサは、現在様々なものが提供されており、例えば、その１つとして、磁気を検出すると共に上述したものとは異なり設置面が傾斜しない磁気センサが知られている。この磁気センサは、基板の表面上に載置されて該表面に沿って互いに直交する２方向（Ｘ、Ｙ方向）の外部磁界の磁気成分に対して感応する一方の磁気センサチップと、基板の表面上に載置されて該表面に直交する方向（Ｚ方向）の外部磁界の磁気成分に対して感応する他方の磁気センサチップとを有している。
そして、この磁気センサは、これら一対の磁気センサチップにより検出された磁気成分により、地磁気の成分を３次元空間内のベクトルとして測定を行っている。
【０００４】
ところが、この磁気センサは、他方の磁気センサチップを基板の表面に対して垂直に立てた状態で載置していたため、厚み（Ｚ方向に対する高さ）が増してしまう不都合があった。従って、この厚みを極力小さくする意味においても、始めに説明したように設置面が傾斜する物理量センサ（例えば、特許文献１から３参照）が好適に用いられる。
【０００５】
この物理量センサの内部には、例えば、複数の磁気センサチップ等の物理量センサチップが相互に傾斜して配されるように設けられている。このように、物理量センサチップを相互に傾斜させることで、３方向（水平面に沿うと共に互いに直交するＸＹ方向、該ＸＹ方向に直交するＺ方向）の磁気成分を検出し、検出した各値から地磁気の方向を３次元空間内のベクトルとして測定することが可能となる。特に、物理量センサチップを傾斜させているので、Ｚ方向への高さを抑えることができ、厚みを極力小さくすることができる。
なお、これら２つの傾斜面がなす角度は、０°〜９０°の範囲内とされており、２０°以上が好ましく、３０°以上であればさらに良好であるとされている。これは、角度が大きくなるにつれて、Ｚ方向に対する検出感度（Ｘ、Ｙ軸との分離による）が向上するためである。
【０００６】
更に、物理量センサチップを傾斜させた物理量センサは、厚みを極力小さくすることができることに加え、他の利点を有するものである。即ち、上記特許文献１に記載されているような片側ビーム構造の加速度センサ（物理量センサ）は、搭載基板に対して予め加速度センサチップ（物理量センサチップ）を傾斜させているので、センサパッケージングを搭載基板の表面上に載置したとしても、傾斜方向に応じた所定軸方向の感度を高く保つことができると共に他軸方向の感度を低減することができる。
【０００７】
上述したように、物理量センサチップを相互に傾斜させた物理量センサは、厚みを極力なくして薄型化を図ることができると共に、傾斜に伴う各種の利点を有するので、今後の主流となるものである。
【０００８】
この物理量センサチップを（相互に）傾斜させた物理量センサをより詳細に説明すると、物量センサチップは、図１８に示すように、通常、リードフレームのステージ部上に載置されている。また、このステージ部は、物理量センサチップ及びリードフレームを一体的に固定する樹脂モールド部の下面に向けて突出するように形成された突出部によって傾斜が支持されるようになっている。
ここで、ステージ部を傾斜させるには、まず、薄板状の金属板にステージ部を含むリードフレームをプレス加工等により形成する。次いで、ステージ部の先端側に、該ステージ部の下面側（裏面側）に突出する突出部を形成する。そして、所定の形状を有する金型により、リードフレームの上下から該リードフレームを挟み込んで固定する。この際、突出部の先端は、一方の金型の表面に押される。これにより、ステージ部は、基端側に連結された一対の連結部を結ぶ軸線回りに回転して曲げ加工され、図１８に示す状態となる。その後、金型の内部に樹脂を流し込んで固定する。
これにより、ステージ部は、図１８に示すように、先端側が樹脂モールド部の上面に向くように傾斜する形状となると共に、突出部によって傾斜が支持された状態となる。
【特許文献１】特開平９−２９２４０８号公報
【特許文献２】特開２００２−１５６２０４号公報
【特許文献３】特開２００４−１２８４７３号公報
【発明の開示】
【発明が解決しようとする課題】
【０００９】
しかしながら、上記従来の方法では、上下の金型を使用して突出部を押圧するため、それら金型に損傷を与えるおそれがあるだけでなく、押圧して精度よく傾斜させる作業に手間がかかってしまうという問題がある。
【００１０】
本発明は、このような事情に鑑みてなされたもので、リードフレームを上下に挟み込むための金型を不要にすることができ、また、例えそれら上下の金型を使用したとしても、それら金型の耐久性を向上させることができ、迅速かつ容易に製造することができる物理量センサの製造方法を提供することを目的とする。
【課題を解決するための手段】
【００１１】
上記課題を解決するために、本発明は以下の手段を提供する。
請求項１に係る発明は、物理量センサチップが設置されるステージ部と、該ステージ部の近傍に配された複数のリードを有するフレーム部と、該フレーム部と前記ステージ部の一端とを連結する連結部と、を備えるリードフレームを形成する形成加工工程と、この形成加工工程により形成された前記リードフレームの前記ステージ部に、前記物理量センサチップを接着する接着工程と、この接着工程により接着された前記物理量センサチップを前記リードに電気的に接続する接続工程と、この接続工程によって前記物理量センサチップと前記リードとが接続された状態の前記リードフレームを、平坦面を有する基台に設置する設置工程と、この設置工程により前記平坦面上に設置された前記リードフレームの前記ステージ部または前記ステージ部の近傍を、前記基台に設けられた吸引手段により吸引し、この吸引によって前記連結部を含む軸線を中心として前記連結部を屈曲させながら前記ステージ部を回転させて、前記ステージ部を前記フレーム部に対して傾斜させる傾斜工程とを備えることを特徴とする。
【００１２】
この発明においては、形成加工工程により、リードフレームが形成され、接着工程により、ステージ部に物理量センサチップが接着される。そして、接続工程により、物理量センサチップとリードとが電気的に接続され、設置工程により、リードフレームが基台に設置される。さらに、傾斜工程により、ステージ部またはステージ部の近傍が吸引手段によって吸引される。そして、この吸引によって連結部を屈曲させながらステージ部が回転し、フレーム部に対して傾斜する。
これにより、リードフレームを上下から挟み込むための金型を不要としつつ、ステージ部を容易に傾斜させることができる。
【００１３】
請求項２に係る発明は、請求項１に記載の物理量センサの製造方法において、前記形成加工工程により、前記リードフレームが金属製薄板に複数形成され、前記設置工程により、前記平坦面に対して垂直に延びるクランプによって前記リードフレームの形成された金属製薄板の全周が固定され、前記傾斜工程の後に、前記クランプと前記平坦面とによって区画されたモールド領域に樹脂を射出して前記複数のリードフレームをモールドするモールド工程と、このモールド工程により成型された樹脂モールド部および前記フレーム部をダイシングするダイシング工程とを備えることを特徴とする。
【００１４】
この発明においては、形成加工工程により、リードフレームが金属製薄板に複数形成され、設置工程により、クランプを利用して金属製薄板の全周が固定され、前記傾斜工程により、前記ステージ部が傾斜する。そして、モールド工程により、クランプと平坦面とによって区画されたモールド領域に樹脂が射出され、複数のリードフレームがモールドされる。さらに、ダイシング工程により、モールド工程によって成型された樹脂モールド部およびフレーム部がダイシングされる。
これにより、上記と同様の効果を奏することができるだけでなく、樹脂モールド部に離型のための抜き勾配を設ける必要がなくなるため、樹脂モールド部の底面積を小さくすることができ、物理量センサの小型化を図ることができる。
【００１５】
請求項３に係る発明は、請求項１または請求項２に記載の物理量センサの製造方法において、前記形成加工工程により、前記ステージ部に、該ステージ部の下面側に向けて突出する突出部が形成され、前記傾斜工程により、前記ステージ部の近傍に配された前記フレーム部の下面を前記吸引手段によって吸引することによって、該平坦面により前記突出部が押圧されて、該ステージ部の他端が持ち上げられるようにしたことを特徴とする。
【００１６】
この発明においては、形成加工工程により、ステージ部に、その下面側に向けて突出する突出部が形成される。そして、傾斜工程により、フレーム部の下面を吸引手段によって吸引すると、フレーム部が平坦面に引き付けられる。そのため、突出部は、平坦面により押圧される。その結果、連結部を含む軸線を中心としてステージ部が回転し、その他端が持ち上げられるようにして、ステージ部が傾斜する。
これにより、簡易な構成により確実にステージ部を傾斜させることができる。
【００１７】
請求項４に係る発明は、請求項１または請求項２に記載の物理量センサの製造方法において、前記形成加工工程により、前記ステージ部が、前記フレーム部に対して上方にオフセットされ、前記傾斜工程により、前記ステージ部の他端の下面を前記吸引手段によって吸引して、前記ステージ部の他端が引き下げられるようにしたことを特徴とする。
【００１８】
この発明においては、形成加工工程により、ステージ部が、フレーム部に対して上方にオフセットされる。そして、傾斜工程により、ステージ部の他端の下面を吸引手段によって吸引すると、ステージ部の他端が平坦面に引き付けられる。そのため、連結部を含む軸線を中心としてステージ部が回転し、その他端が引き下げられるようにして、ステージ部が傾斜する。
これにより、上記と同様、簡易な構成により確実にステージ部を傾斜させることができる。
【００１９】
請求項５に係る発明は、請求項１または請求項２に記載の物理量センサの製造方法において、前記形成加工工程により、前記ステージ部の一端に、該ステージ部の上面側に向けて斜めに延びる傾斜部が形成され、前記傾斜工程により、前記傾斜部の下面を前記吸引手段によって吸引して、前記傾斜部が引き下げられることによって、前記ステージ部の他端が持ち上げられるようにしたことを特徴とする。
【００２０】
この発明においては、形成加工工程により、ステージ部の一端に、その上面側に向けて斜めに延びる傾斜部が形成される。そして、傾斜工程により、傾斜部の下面を吸引手段によって吸引すると、傾斜部が平坦面に引き付けられる。そのため、連結部を含む軸線を中心としてステージ部が回転し、その他端が持ち上げられるようにして、ステージ部が傾斜する。
これにより、上記と同様、簡易な構成により確実にステージ部を傾斜させることができる。
【発明の効果】
【００２１】
本発明によれば、リードフレームを上下から挟み込むことなしに、ステージ部を容易に傾斜させることができることから、上下に挟み込むための金型を不要にすることができ、短時間で容易に物理量センサを製造することができる。また、上下の金型でリードフレームを挟み込んだとしても、それら金型によってリードフレームの所定の箇所を押圧する必要がないため、金型の損傷を防止し、その耐久性を向上させることができる。
【発明を実施するための最良の形態】
【００２２】
（実施例）
以下、本発明の実施例における物理量センサの製造方法について、図面を参照して説明する。なお、本実施例では、物理量センサとして、地磁気を測定する三次元磁気センサを例にして説明する。
【００２３】
最初に、本実施例における磁気センサの製造方法により製造される磁気センサについて述べる。図１において、符号１は、磁気センサ（物理量センサ）を示すものである。
磁気センサ１は、相互に傾斜させた２つのステージ部２と、これら２つのステージ部２の上面２ａにそれぞれ設置され、外部磁界の大きさ及び向きを測定する磁気センサチップ（物理量センサチップ）３と、この磁気センサチップ３とワイヤ４を介して電気的に接続されたリード５と、これらを一体的に固定する外装モールド部（樹脂モールド部）７とを備えている。そして外装モールド部７の側壁７ａは、その底面７ｂに対して垂直に延びるように構成されている。
この磁気センサ１は、上記ステージ部２及びリード５を有する図２に示すリードフレーム１０を利用して製造されるものである。
【００２４】
そこで、次にこのリードフレーム１０について説明する。このリードフレーム１０は、図３に示す銅板等の金属製薄板１４をプレス加工やエッチング加工等を経て形成されるものである。なお、本実施例においては、一枚の金属製薄板１４に複数のリードフレーム１０を形成しているが、その形成する数や位置は適宜変更可能である。
これら複数のリードフレーム１０は、図２に示すように、それぞれに、上面視矩形状に形成された上記２つのステージ部２と、これらステージ部２の周囲に配された複数の上記リード５を有するフレーム部１１と、一部のリード５とステージ部２とを連結すると共に、ステージ部２の基端部（ステージ部２の一端）２ｂにこのステージ部２を挟んで対向配置された一対の連結部１２とを備えている。
【００２５】
上記フレーム部１１は、図３に示すように、平面視矩形の枠状に形成されており、複数のリードフレーム１０をそれぞれ囲むように形成されている。そして、フレーム部１１は、複数のリードフレーム１０の間に配されて、ステージ部２の近傍に設けられる兼用部１１ａと、金属製薄板１４の全周に位置する外周部（金属製薄板１４の全周）１１ｂとを備えている。
このフレーム部１１に設けられた複数のリード５のうちの一部のリード５は、図２に示すように、フレーム部１１にステージ部２を固定するための吊りリードとして機能するものであり、連結部１２を介してステージ部２に接続されている。
【００２６】
ステージ部２は、一つのリードフレーム１０内において、フレーム部１１の長手方向Ｆに沿って２つ並べられ、互いに先端部（ステージ部２の他端）２ｃ側が対向するように配されている。さらに、各ステージ部２は、先端部２ｃの両端を起点として、長手方向Ｆに沿って、対向するステージ部２側に延びる一対の突出部１５を備えている。これら突出部１５は、各ステージ部２と一体的に形成されており、突出部１５の基端側を曲げることにより、図４に示すように、下面２ｄ側に向けて突出するとともにステージ部２に対して傾斜した状態になっている。
【００２７】
また、各ステージ部２の上面２ａには、磁気センサチップ３がそれぞれ設置されるようになっている。これら磁気センサチップ３は、共に外部磁界の２方向の磁気成分に対して感応するものである。このうち一方の磁気センサチップ３は、図２に示すように、その感応方向が該磁気センサチップ３の表面に沿って互いに直交する方向（Ａ方向及びＢ方向）となっており、他方の磁気センサチップ３は、その感応方向が該磁気センサチップ３の表面に沿って互いに直交する方向（Ｃ方向及びＤ方向）となっている。なお、Ａ、Ｃ方向は、長手方向Ｆに直交する方向で互いに逆向きとなっており、Ｂ、Ｄ方向は、長手方向Ｆに平行な方向で互いに逆向きとなっている。
なお、他方の磁気センサチップ３は、Ｄ方向感度を持つだけのタイプであっても構わない。また、他方の磁気センサチップ３は、水平（平ら置き）に設置しても良い。
【００２８】
さらに、上記連結部１２には、その側面に設けられた凹状の切り欠きによりリード５の他の部分よりも薄く形成されたねじれ部２０が設けられており、このねじれ部２０は、突出部１５よりも容易に変形してねじれ易くなっている。これにより、下面２ｄから上面２ａに向けて突出部１５を押圧すると、ねじれ部２０がねじれて、ねじれ部２０を通る軸線Ｌを中心に、ステージ部２が回転するようになっている。
【００２９】
次いで、上述したリードフレーム１０を利用して、磁気センサ１を製造する方法について以下に説明する。
まず、プレス加工やエッチング加工等により、図３に示すように、上述したリードフレーム１０を金属製薄板１４に複数形成する（形成加工工程）。
そして、ステージ部２の上面２ａに磁気センサチップ３をそれぞれ接着する（接着工程）。この際、感応方向が図２に示す方向となるように、磁気センサチップ３を接着する。
次いで、ワイヤ４により、磁気センサチップ３のボンディングパッド９とリード５とを接続する（接続工程）。これにより、磁気センサチップ３と複数のリード５とを互いに電気的に接続することができる。なお、ワイヤ４を接続する際には、ステージ部２を傾斜させたときに、ワイヤ４と磁気センサチップ３とのボンディング部分、及びリード５とのボンディング部分が互いに変化するため、ワイヤ４の材質は、曲げ易く柔らかいことが好ましい。
【００３０】
次いで、図５に示すように、接続工程を経た後の金属製薄板１４を、基台１７の所定の位置に設置する（設置工程）。この基台１７は、平坦面１８を備えており、この平坦面１８上に、金属製薄板１４が設置されるようになっている。また、基台１７には、金属製薄板１４を設置したときの兼用部１１ａに対応させて、吸引孔２２が形成されている。この吸引孔２２の一端は平坦面１８から開放されており、他端には吸引装置（吸引手段）２３が連結されている。
【００３１】
このように構成された基台１７の平坦面１８上の所定の位置に、金属製薄板１４を載置する。そして、金属製薄板１４の外周部１１ｂのサイズに合わせた枠状のクランプ２５により、外周部１１ｂを平坦面１８に押し付けて密着させる。このとき、外周部１１ｂが押し付けられることにより、この外周部１１ｂの近くに設けられたステージ部２の突出部１５は、平坦面１８によって上方に向けて押圧される。これにより、それらステージ部２は、ねじれ部２０がねじられながら、先端部２ｃが持ち上げられるようにして、軸線Ｌを中心に相対的に回転する。そのため、ステージ部２は、フレーム１１に対して、傾斜した状態になる。一方、外周部１１ｂから遠く、金属製薄板１４の中央の近くに設けられたステージ部２は、兼用部１１ａがフリーであるため、突出部１５によって平坦面１８から浮いた状態で支持される。これにより、兼用部１１ａが吸引孔２２に対向する位置で、金属製薄板１４が固定される。このときのクランプ２５の内壁は、平坦面１８に対して垂直に延びた状態になっている。
【００３２】
これら設置工程の後、吸引装置２３を駆動する。すると、吸引孔２２を介して、兼用部１１ａの下面（フレーム部１１の下面）２７側を吸い込む。そのため、吸引孔２２に圧力差が生じ、吸引孔２２に対向する位置に配された兼用部１１ａが、吸引孔２２を介して吸引装置２３に吸引される。そのため、兼用部１１ａは、図６に示すように、平坦面１８に密着する。そして、金属製薄板１４の全体が平坦面１８に接触した状態になる。このとき、突出部１５が平坦面１８によって上方に向けて押圧され、これにより、平坦面１８から浮いた状態になっていたステージ部２は、ねじれ部２０がねじられながら、先端部２ｃが持ち上げられるようにして、軸線Ｌを中心に相対的に回転する。その結果、全てのステージ部２が、フレーム１１に対して、傾斜した状態になる（傾斜工程）。
【００３３】
この傾斜工程の後の工程は、いわゆるＭＡＰ方式と呼ばれるものである。すなわち、クランプ２５の内壁と平坦面１８とによって区画されたモールド領域３１に樹脂を流し込み、所定の時間おくことによって、図７に示すように、磁気センサチップ３やステージ部２、リード５などを覆う外装モールド部７を形成する。これにより、磁気センサチップ３が、相互に傾斜した状態で、外装モールド部７の内部に固定されることになる（モールド工程）。なお、この樹脂は、該樹脂の流動によって磁気センサチップ３及びステージ部２の傾斜角度が変化しないように、流動性が高い材質であることが好ましい。外装モールド部７が形成された後、クランプ２５を取り外す。すると、外装モールド部７の側壁７ａは、図８に示すように、その底面７ｂに対して、垂直に延びた状態になる。
【００３４】
さらに、クランプ２５を取り外した後、それぞれのリードフレーム１０に合わせて、外装モールド部７およびフレーム部１１を、ブレード２５により切断する（ダイシング工程）。これにより、各リードフレーム１０ごとに切り分けられ、それぞれの外装モールド部７の底面７ｂに対して垂直に延びた側壁７ａを備える磁気センサ１が得られる。
【００３５】
以上より、兼用部１１ａの下面２７を吸引することにより、リードフレーム１０を上下から挟み込むための金型を不要としつつ、ステージ部２を容易に傾斜させることができる。そのため、設備の省スペース化を図ることができるだけでなく、磁気センサ１を短時間で容易に製造することができる。
また、従来は、ステージ部２を傾斜させるために、上下の型を使って挟みこんでいたため、上述のＭＡＰ方式を採用することができなかった。そして、上下の型を使うと、外装モールド部７に離型のための抜き勾配を設ける必要があるため、外装モールド部７の底面７ｂの面積を小さくするのにも限界があった。本実施例によれば、上下の型を使わないで容易にステージ部２を傾斜させることができるため、ＭＡＰ方式を採用することができ、そのため、抜き勾配を不要とすることによって、外装モールド部７の底面７ｂの面積を小さくすることができ、磁気センサ１の小型化を容易に図ることができる。
【００３６】
さらに、地磁気センサチップ３により、地磁気の方向を３次元空間内のベクトルとして検出でき、測定した地磁気の方位を図示しない表示パネル等に表示することができる。そのため、携帯端末装置などに本磁気センサ１を設置することにより、地磁気を利用した各種のナビゲーション機能を付加することができる。
【００３７】
なお、上記の実施例においては、突出部１５を、ステージ部２の先端部２ｃの両端に一対設けるとしたが、これに限ることはなく、その設置位置や設置数は適宜変更可能である。
また、磁気センサチップ３を上面２ａに設置するとしたが、これに限ることはなく、下面２ｄに設置するようにしてもよい。これにより、突出部１５とワイヤ４とが干渉することなく、磁気センサチップ３とリード５との接続を容易にすることができる。
さらに、吸引孔２２および吸引装置２３を設けるとしたが、これに限ることはなく、吸引手段としての構成は適宜変更可能である。例えば、吸引手段として、磁石を基台に設け、この磁石の磁力により吸引するようにしてもよい。磁石は、永久磁石であっても、電磁石であってもよいが、電磁石にした方が、吸引タイミングや吸引力などを調整し易くすることができるだけでなく、通電を切ることにより、リードフレーム１０や磁気センサ１を取り外し易くすることができる。
また、傾斜工程において、兼用部１１ａを平坦面１８に密着させるようにしたが、これに限ることはなく、平坦面１８から兼用部１１ａを浮かせた状態であってもよい。
【００３８】
さらに、リードフレーム１０の形状は適宜変更可能である。例えば、突出部１５を設けることなく、図９に示すように、互いのステージ部２を一体的に連結するステージ連結部４０を設けるようにする。そして、ステージ連結部４０の長手方向Ｆの両端に、長手方向Ｆに直交する方向に延びるスリット４１を設ける。これらスリット４１は、厚さ寸法の小さい薄圧部としてもよい。さらに、連結部１２を介してステージ部２に接続されたリード５には、上方に向けて傾斜するリード傾斜部４２を設け、ステージ部２を上方にオフセットする。
【００３９】
このような構成のもと、図１０に示すように、リードフレーム１０を下型４６の所定の位置に設置し、下型４６と上型４５とによって挟み込む。そして、吸引手段２３を駆動し、ステージ部２の近傍のステージ連結部４０を吸引する。すると、ステージ部２は、その先端部２ｃが引き下げられるようにして傾斜する。すなわち、ステージ連結部４０が吸引されると、ステージ部２の先端部２ｃがスリット４１の軸線を中心として屈曲するとともに、リード傾斜部４２の基端部とねじれ部２０とが屈曲しながら、ステージ部２が傾けられていき、ステージ連結部４０が平坦面１８に密着する。そして、このように密着した状態で、上型４５と下型４６との間のキャビディ内に樹脂を流してモールドする。
【００４０】
以上より、上型４５および下型４６を使用しても、ステージ部２を傾斜させるためにリードフレーム１０の所定の箇所を押圧する必要がないため、上型４５および下型４６への損傷を防止することができ、それら上型４５および下型４６の耐久性を向上させることができる。
なお、上型４５および下型４６を使用しなくても、上記ＭＡＰ方式を採用することができるのはいうまでもない。
【００４１】
（実施例２）
図１１および図１２は、本発明の第２の実施例を示したものである。
図１１および図１２において、図１から図８に記載の構成要素と同一部分については同一符号を付し、その説明を省略する。
この実施例と上記第１の実施例とは基本的構成や工程は同一であり、以下の点においてのみ相違した構成とするものである。すなわち、ステージ部２の基端部２ｂが、上方に向けて立ち上げられた支持壁部２９の上端に連結されており、これにより、リードフレーム１０は、ステージ部２がフレーム部１１に対して、上方にオフセットされて構成されている。そして、このような構成のリードフレーム１０が、形成加工工程によって形成される。
【００４２】
さらに、本実施例においては、吸引孔２２の一端に、蓋部３５が設けられており、この蓋部３５は、ヒンジ部によって、吸引孔２２の一端を開閉するように回転可能に支持されている。すなわち、蓋部３５は、吸引孔２２の一端を塞いで蓋をする閉塞位置と、吸引孔２２の内部に配されて、吸引孔２２の一端を開放する開放位置との間を移動するようになっている。さらに、蓋部３５は、自然状態において閉塞位置に配されるように、不図示の弾性部材により常に付勢された状態になっている。このような吸引孔２２が、ステージ部２の先端部２ｃに対応するように設けられており、金属製薄板１４を基台１７の所定の位置に設置すると、吸引孔２２とステージ部２の先端部２ｃとが互いに対向して配置されるようになっている。
【００４３】
そして、上記と同様に設置工程を経た後、吸引装置２３を駆動する。すると、吸引装置２３の吸引力により、蓋部３５が弾性部材の付勢力に抗して開放位置に配され、これら開放された吸引孔２２を介して、ステージ部２の先端部２ｃの下面２ｄ側が吸い込まれる。そのため、吸引孔２２に圧力差が生じ、図１２に示すように、先端部２ｃが吸引孔２２を介して吸引装置２３に吸引されて、ステージ部２は、ねじれ部２０がねじられながら、先端部２ｃが引き下げられるようにして、軸線Ｌを中心に相対的に回転する。その結果、全てのステージ部２が、フレーム１１に対して、傾斜した状態になる（傾斜工程）。
さらに、上記と同様に、モールド工程およびダイシング工程を経て、磁気センサ１が製造される。
【００４４】
以上より、上記と同様、簡易な構成により確実にステージ部２を傾斜させることができる。
【００４５】
（実施例３）
図１３および図１４は、本発明の第３の実施例を示したものである。
図１３および図１４において、図１から図８に記載の構成要素と同一部分については同一符号を付し、その説明を省略する。
本実施例においては、リード５がＬ字状に形成されており、フレーム１１に対して、上方に突出した状態になっている。そして、このリード５の上端と、ステージ部２の基端部２ｂとが、長手方向Ｆに沿って延びる連結部１２によって連結されている。これにより、ステージ部２がフレーム１１に対して上方にオフセットされている。
このような構成のリードフレーム１０が、形成加工工程によって形成され、上記と同様の工程により、磁気センサ１が製造される。
【００４６】
以上より、上記と同様の効果を奏することができるだけでなく、磁気センサチップ３の上面と、リード５の表面との高さをほぼ合わせることができ、磁気センサチップ３とリード５との接続を容易にすることができる。さらに、ワイヤ４の長さを短くするとともに、磁気センサチップ３の傾斜時のワイヤ変形量を減少させることができ、信頼性を向上させることができる。
【００４７】
（実施例４）
図１５から図１７は、本発明の第４の実施例を示したものである。
図１５から図１７において、図１から図８に記載の構成要素と同一部分については同一符号を付し、その説明を省略する。
本実施例においては、図１５および図１６に示すように、ステージ部２の近傍であって、このステージ部２の基端部２ｂに、上面２ａ側に外方に向けて斜めに延びる傾斜部３３が形成されている。そして、このような構成のリードフレーム１０が形成加工工程により形成される。
【００４８】
また、本実施例においては、吸引孔２２が、傾斜部３３に対応するように設けられており、金属製薄板１４を基台１７の所定の位置に設置すると、吸引孔２２と傾斜部３３とが互いに対向して配置されるようになっている。
【００４９】
そして、上記と同様に設置工程を経た後、吸引装置２３を駆動すると、吸引孔２２を介して、傾斜部３３の下面３３ａ側が吸い込まれる。そのため、図１７に示すように、傾斜部３３が吸引孔２２に吸引されて、ねじれ部２０がねじられながら、ステージ部２が相対的に回転し、先端部２ｃが持ち上げられていく。そして、傾斜部３３が平坦面１８に密着すると、傾斜部３３はフレーム部１１と面一になるように配され、これにより、全てのステージ部２が、先端部２ｃを持ち上げるようにして、フレーム１１に対して、傾斜した状態になる（傾斜工程）。
さらに、上記と同様に、モールド工程およびダイシング工程を経て、磁気センサ１が製造される。
【００５０】
以上より、上記と同様、簡易な構成により確実にステージ部２を傾斜させることができる。
【００５１】
なお、上記第１から第４の実施例においては、ＭＡＰ方式として説明したが、これに限ることはなく、上下の型を使って挟み込んでモールドしてもよい。
また、上記第１から第４の実施例においては、磁気センサ１を例にとって説明したが、本発明は磁気センサ１に限定されるものではなく、加速度センサなど様々な物理量センサにも適用できることは言う迄もない。
また、本発明の技術範囲は上記実施例に限定されるものではなく、本発明の趣旨を逸脱しない範囲において種々の変更を加えることが可能である。
【図面の簡単な説明】
【００５２】
【図１】本発明に係る物理量センサの製造方法の一実施例を示す図であって、本実施例によって製造された磁気センサを示す説明図である。
【図２】同実施例におけるリードフレームに磁気センサチップを設置した様子を示す平面図である。
【図３】同実施例における形状加工工程により、金属製薄板に複数のリードフレームが形成された様子を示す平面図である。
【図４】同実施例における接着工程を経た後の金属製薄板を基台に設置する前の様子を示す説明図である。
【図５】同実施例における接着工程を経た後の金属製薄板を、設置工程により基台に設置した様子を示す説明図である。
【図６】同実施例における傾斜工程により、ステージ部が基台上において傾斜した様子を示す説明図である。
【図７】同実施例におけるモールド工程により、モールド領域に樹脂が流し込まれた様子を示す説明図である。
【図８】同実施例におけるダイシング工程により、ブレードを用いて外装モールド部やリードフレームを切断している様子を示す説明図である。
【図９】図２に示すリードフレームの変形例を示す平面図である。
【図１０】図９に示すリードフレームを上下の型に設置して、ステージ部を傾斜させた様子を示す説明図である。
【図１１】本発明に係る物理量センサの製造方法について、第２の実施例の要部を示す図であり、金属製薄板を基台上に設置して、吸引装置を駆動した様子を示す説明図である。
【図１２】図９におけるステージ部の先端部が吸引孔に引き付けられた様子を示す説明図である。
【図１３】本発明に係る物理量センサの製造方法について、第３の実施例の要部を示す図であり、金属製薄板を基台上に設置して、吸引装置を駆動した様子を示す説明図である。
【図１４】図１３におけるステージ部の先端部が吸引孔に引き付けられた様子を示す説明図である。
【図１５】本発明に係る物理量センサの製造方法について、第４の実施例の要部を示す図であり、金属製薄板を基台上に設置した様子を示す平面図である。
【図１６】図１５の金属製薄板および基台を側面から見た図であって、吸引装置を駆動した様子を示す説明図である。
【図１７】図１６における傾斜部が吸引孔に引き付けられて、ステージ部が持ち上げられるようにして傾斜した様子を示す説明図である。
【図１８】従来の磁気センサを示す側断面図である。
【符号の説明】
【００５３】
１  磁気センサ（物理量センサ）；２  ステージ部；２ｂ  基端部（ステージ部の一端）；２ｃ  先端部（ステージ部の他端）；３  磁気センサチップ（物理量センサチップ）；５  リード；７  外装モールド部（樹脂モールド部）；１０  リードフレーム；１１  フレーム部；１１ｂ  外周部（金属製薄板の全周）；１２  連結部；１４  金属製薄板；１５  突出部；１７  基台；１８  平坦面；２３  吸引装置（吸引手段）；２５  クランプ；２７  下面（フレーム部の下面）；３１  モールド領域；３３  傾斜部；３３ａ  下面（傾斜部の下面）；Ｌ  軸線
【図１】
2006267062.tif 000003
【図２】
2006267062.tif 000004
【図３】
2006267062.tif 000005
【図４】
2006267062.tif 000006
【図５】
2006267062.tif 000007
【図６】
2006267062.tif 000008
【図７】
2006267062.tif 000009
【図８】
2006267062.tif 000010
【図９】
2006267062.tif 000011
【図１０】
2006267062.tif 000012
【図１１】
2006267062.tif 000013
【図１２】
2006267062.tif 000014
【図１３】
2006267062.tif 000015
【図１４】
2006267062.tif 000016
【図１５】
2006267062.tif 000017
【図１６】
2006267062.tif 000018
【図１７】
2006267062.tif 000019
【図１８】
2006267062.tif 000020